(57)【要約】【課題】  屋内無線装置が屋外無線装置へ供給する電源電圧及びクロックについて、両装置の組み合わせが汎用的になるような屋内無線装置を提供する。【解決手段】  屋内内無線装置２は、屋外無線装置１の送信系部１０及び受信系部１１それぞれについて、電源電圧及び／又はクロックを指定する入力部２２２と、指定された電源電圧及び／又はクロックを発生させる電源電圧発生部２０４（２１４）及び／又はクロック周波数発生部２０７（２１７）と、発生された電源電圧及び／又はクロックを、屋外無線装置１の送信系部１０及び受信系部１１それぞれに供給する電源電圧供給部２０５（２１５）及び／又はクロック供給部２０８（２１８）とを有する。また、指定された電源電圧が正しく発生していない場合、供給異常を表示部２２３に表示する。【選択図】  図２
2006157532.tif 000002
【特許請求の範囲】
【請求項１】
屋外無線装置の送信系手段及び／又は受信系手段に対して、電源電圧を供給する屋内無線装置において、
前記屋外無線装置の前記送信系手段及び／又は前記受信系手段に対して、
前記電源電圧を指定する入力手段と、
指定された前記電源電圧を発生させる電源電圧発生手段と、
発生された前記電源電圧を、前記屋外無線装置に供給する電源電圧供給手段と
を有することを特徴とする屋内無線装置。
【請求項２】
前記電源電圧発生手段が前記指定された電源電圧を正しく発生しているか否かを判定する電源電圧制御手段と、
前記指定された電源電圧が正しく発生していない場合、供給異常を表示する表示手段と
を更に有することを特徴とする請求項１に記載の屋内無線装置。
【請求項３】
屋外無線装置の送信系手段及び／又は受信系手段に対して、クロックを供給する屋内無線装置において、
前記屋外無線装置の前記送信系手段及び／又は前記受信系手段に対して、
前記クロックを指定する入力手段と、
指定された前記クロックを発生させるクロック周波数発生手段と、
発生された前記クロックを、前記屋外無線装置に供給するクロック供給手段と
を有することを特徴とする屋内無線装置。
【請求項４】
前記クロック周波数発生手段が前記指定されたクロックを正しく発生しているか否かを判定するクロック周波数制御手段と、
前記指定されたクロックが正しく発生していない場合、供給異常を表示する表示手段と
を更に有することを特徴とする請求項３に記載の屋内無線装置。
【請求項５】
屋外無線装置の送信系部及び受信系部に対して、電源電圧を供給する屋内無線装置の電源電圧供給方法において、
前記屋外無線装置の前記送信系部及び／又は前記受信系部に対して、
前記電源電圧を指定する入力ステップと、
指定された前記電源電圧を発生させる電源電圧発生ステップと、
発生された前記電源電圧を、前記屋外無線装置に供給する電源電圧供給ステップと
を有することを特徴とする屋内無線装置の電源電圧供給方法。
【請求項６】
前記電源電圧発生ステップに続いて、
前記指定された電源電圧を正しく発生しているか否かを判定するステップと、
前記指定された電源電圧が正しく発生していない場合、供給異常を表示する表示ステップと
を更に有することを特徴とする請求項５に記載の屋内無線装置の電源電圧供給方法。
【請求項７】
屋外無線装置の送信系部及び受信系部に対して、クロックを供給する屋内無線装置のクロック供給方法において、
前記屋外無線装置の送信系部及び／又は受信系部に対して、
前記クロックを指定する入力ステップと、
指定された前記クロックを発生させるクロック発生ステップと、
発生された前記クロックを、前記屋外無線装置に供給するクロック供給ステップと
を有することを特徴とする屋内無線装置のクロック供給方法。
【請求項８】
前記クロック発生ステップに続いて、
前記指定されたクロックを正しく発生しているか否かを判定するステップと、
前記指定されたクロックが正しく発生していない場合、供給異常を表示する表示ステップと
を更に有することを特徴とする請求項７に記載の屋内無線装置のクロック供給方法。
【発明の詳細な説明】
【技術分野】
【０００１】
本発明は、無線装置におけるマルチ電源及び／又はクロック供給装置及び方法に関する。特に、屋外無線装置へ電源電圧及び／又はクロックを供給する屋内無線装置に関する。
【背景技術】
【０００２】
例えば衛星通信地球局のような無線装置システムは、アンテナの近傍に配置された屋外無線装置と、その屋外無線装置にケーブルを介して接続された屋内無線装置とから構成される。この場合、高精度の無線周波数を必要とするため、高安定度の局部発信器を屋外無線装置及び屋内無線装置それぞれに備えることが多かった。しかしながら、近年は、屋内無線装置が備える高安定度の局部発信器を基準クロックとして、屋外無線装置を動作させるものが多くなっている（例えば非特許文献１参照）。
【０００３】
図１は、従来の無線装置システムの機能構成図である。
【０００４】
図１のシステムは、屋外無線装置１と、屋内無線装置２と、通信衛星３とを有する。通常、屋外無線装置１は屋内無線装置２と組み合わせて、屋内／屋外を挟んでほぼ同じ場所に設置される。屋外無線装置１は、送信系部１０として例えば高出力増幅変換装置のような送信系増幅変換部１００と、受信系部１１として例えば低雑音増幅変換装置のような受信系増幅変換部１１０とを有する。また、送信系部及び受信系部それぞれに対して、電源受電部１０１及び１１１と、クロック受信部１０２及び１１２とを有する。電源受電部及びクロック受信部は、屋内無線装置２からケーブルを介して電力及びクロックの供給を受ける。一方、屋内無線装置２も同様に、送信系周波数変換部２００及び受信系周波数変換部２１０を有する。また、送信系部及び受信系部それぞれに対して、電源供給部２０１及び２１１と、クロック供給部２０２及び２１２とを有する。電源供給部及びクロック供給部は、屋外無線装置１へケーブルを介して電力及びクロックを供給する。尚、屋内無線装置１と屋外無線装置２との間のケーブルを少なくするために、図１のように、通信線に電力及びクロックを重畳させるものも多い。
【０００５】
【非特許文献１】信学技報ＳＡＴ９４−７３、ＭＷ９４−９６（１９９４−１２）
【発明の開示】
【発明が解決しようとする課題】
【０００６】
しかしながら、図１のような従来の無線装置システムによれば、屋内無線装置２が供給する電源電圧及びクロックと、屋外無線装置１が動作する電源電圧及びクロックとを一致させる必要がある。従って、屋外無線装置１と屋内無線装置２とは常に組となるものとして設置されている。この電源電圧及びクロックは、無線装置システム毎に、独自に設定され、異なるものとなっている。そのために、システム更改の際に、屋内無線装置を他の無線装置に変更した場合、継続利用が可能な屋外無線装置も変更しなけばならなかった。
【０００７】
従って、本発明は、屋外無線装置へ電源電圧及び／又はクロックを供給する屋内無線装置について、両装置の組み合わせが汎用的になるような屋内無線装置を提供することを目的とする。
【課題を解決するための手段】
【０００８】
本発明の屋内無線装置は、屋外無線装置の送信系手段及び／又は受信系手段に対して、
電源電圧を指定する入力手段と、
指定された電源電圧を発生させる電源電圧発生手段と、
発生された電源電圧を、屋外無線装置に供給する電源電圧供給手段と
を有することを特徴とする。
【０００９】
本発明の屋内無線装置における他の実施形態によれば、
電源電圧発生手段が指定された電源電圧を正しく発生しているか否かを判定する電源電圧制御手段と、
指定された電源電圧が正しく発生していない場合、供給異常を表示する表示手段と
を更に有することも好ましい。
【００１０】
また、本発明の屋内無線装置は、屋外無線装置の送信系手段及び／又は受信系手段に対して、
クロックを指定する入力手段と、
指定されたクロックを発生させるクロック周波数発生手段と、
発生されたクロックを、屋外無線装置に供給するクロック供給手段と
を有することを特徴とする。
【００１１】
本発明の屋内無線装置における他の実施形態によれば、
クロック周波数発生手段が指定されたクロックを正しく発生しているか否かを判定するクロック周波数制御手段と、
指定されたクロックが正しく発生していない場合、供給異常を表示する表示手段と
を更に有することも好ましい。
【００１２】
本発明の屋内無線装置の電源電圧供給方法は、屋外無線装置の送信系部及び／又は受信系部に対して、
電源電圧を指定する入力ステップと、
指定された電源電圧を発生させる電源電圧発生ステップと、
発生された電源電圧を、屋外無線装置に供給する電源電圧供給ステップと
を有することを特徴とする。
【００１３】
本発明の屋内無線装置の電源電圧供給方法における他の実施形態によれば、電源電圧発生ステップに続いて、
指定された電源電圧を正しく発生しているか否かを判定するステップと、
指定された電源電圧が正しく発生していない場合、供給異常を表示する表示ステップと
を更に有することも好ましい。
【００１４】
また、本発明の屋内無線装置のクロック供給方法は、屋外無線装置の送信系部及び／又は受信系部に対して、
クロックを指定する入力ステップと、
指定されたクロックを発生させるクロック発生ステップと、
発生されたクロックを、屋外無線装置に供給するクロック供給ステップと
を有することを特徴とする。
【００１５】
本発明の屋内無線装置のクロック供給方法における他の実施形態によれば、クロック発生ステップに続いて、
指定されたクロックを正しく発生しているか否かを判定するステップと、
指定されたクロックが正しく発生していない場合、供給異常を表示する表示ステップと
を更に有することも好ましい。
【発明の効果】
【００１６】
本発明によれば、屋内無線装置が屋外無線装置へ供給する電源電圧及びクロックについて、両装置の組み合わせが汎用的になるような屋外無線装置を提供することができる。即ち、屋内無線装置を別の屋内無線装置に置き換えた場合、継続利用する屋外無線装置に合致した基準となる電源電圧及びクロックを提供することが可能となり、無線装置同士の経済性が向上する。
【発明を実施するための最良の形態】
【００１７】
以下では、図面を参照して、本発明を実施するための最良の形態について説明する。
【００１８】
図２は、本発明の無線装置システムの機能構成図である。
【００１９】
図２によれば、図１と比較して、屋内無線装置２に種々の機能が付加されている。図２の屋内無線装置２は、図１と同様に、送信系周波数変換部２００と受信系周波数変換部２１０とを有する。更に、屋内無線装置２は、送信系部及び受信系部それぞれについて、電源電圧制御部２０３及び２１３と、電源電圧発生部２０４及び２１４と、電源電圧供給部２０５及び２１５と、クロック周波数制御部２０６及び２１６と、クロック周波数発生部２０７及び２１７と、クロック供給部２０８及び２１８とを有する。また、屋内無線装置２は、中央処理制御部２２０と、操作処理部２２１と、入力キー部２２２と、表示部２２３とを有する。
【００２０】
利用者は、入力キー部２２２から電源電圧を指定して、その情報を入力することができる。操作制御部２２１は、常時、入力キー部２２２に入力されるキーを監視しており、入力キー部２２２に電源電圧情報についてのキーが入力されると、事前に設定されている設定可能範囲と比較する。入力された電源電圧が設定可能範囲内にある場合、操作制御部２２１は、その電源電圧の情報を中央処理制御部２２０へ通知する。一方、入力された電源電圧が設定可能範囲内にない場合、操作制御部２２１は、例えば「ＮＧ」を表示するように表示部２２３を制御し、入力キー部２２２への再入力を促す。
【００２１】
操作制御部２２１から、電源電圧情報を受信した中央処理制御部２２０は、その電源電圧情報を電源電圧制御部２０３へ送信する。電源電圧情報を受信した電源電圧制御部２０３は、電源電圧発生部２０４に対してその電源電圧を発生するよう指示する。電源電圧発生部２０４は、その電源電圧を発生させ、電源電圧供給部２０５へその電力を供給する。
【００２２】
電源電圧発生部２０４は、電源電圧供給部２０５に対して正しく電力が供給された場合、電源電圧制御部２０３へ供給開始情報を送信する。供給開始情報を受信した電源電圧制御部２０３は、中央処理制御部２２０へ供給開始情報を送信する。中央処理制御部２２０は、供給開始情報を操作制御部２２１に通知し、操作制御部２２１は、供給開始を示す「ＡＣＴ」を表示するよう表示部２２３を制御する。一方、電源電圧発生部２０４が、電源電圧供給部２０５に対して正しく電力を供給できない場合、電源電圧制御部２０３へ供給異常情報を送信する。供給異常情報を受信した電源電圧制御部２０３は、中央処理制御部２２０へ供給異常情報を送信する。中央処理制御部２２０は、供給異常情報を操作制御部２２１に通知し、操作制御部２２１は、供給異常を示す「ＦＬＴ」を表示するよう表示部２２３を制御する。
【００２３】
利用者は、入力キー部２２２からクロックを指定して、その情報を入力することができる。操作制御部２２１は、常時、入力キー部２２２に入力されるキーを監視しており、入力キー部２２２にクロック情報についてのキーが入力されると、事前に設定されている設定可能範囲と比較する。入力されたクロックが設定可能範囲内にある場合、操作制御部２２１は、そのクロック情報を中央処理制御部２２０へ通知する。一方、入力されたクロックが設定可能範囲内にない場合、操作制御部２２１は、例えば「ＮＧ」を表示するように表示部２２３を制御し、入力キー部２２２への再入力を促す。
【００２４】
操作制御部２２１から、クロック情報を受信した中央処理制御部２２０は、そのクロック情報をクロック周波数制御部２０６へ送信する。クロック情報を受信したクロック周波数制御部２０６は、クロック周波数発生部２０７に対してそのクロックを発生するよう指示する。クロック周波数発生部２０７は、そのクロックを発生させ、クロック供給部２０８へそのクロックを供給する。
【００２５】
クロック周波数発生部２０７は、クロック供給部２０８に対して正しくクロックが供給された場合、クロック周波数制御部２０６へ供給開始情報を送信する。供給開始情報を受信したクロック周波数制御部２０６は、中央処理制御部２２０へ供給開始情報を送信する。中央処理制御部２２０は、供給開始情報を操作制御部２２１に通知し、操作制御部２２１は、供給開始を示す「ＡＣＴ」を表示するよう表示部２２３を制御する。一方、クロック周波数発生部２０４が、クロック供給部２０５に対して正しくクロックを供給できない場合、クロック周波数制御部２０６へ供給異常情報を送信する。供給異常情報を受信したクロック周波数制御部２０６は、中央処理制御部２２０へ供給異常情報を送信する。中央処理制御部２２０は、供給異常情報を操作制御部２２１に通知し、操作制御部２２１は、供給異常を示す「ＦＬＴ」を表示するよう表示部２２３を制御する。
【００２６】
図３は、本発明の屋内無線装置における電源電圧設定のためのフローチャートである。
【００２７】
（Ｓ３０１）利用者が屋外無線装置に供給する電源電圧情報を指定できるように、その旨を屋内無線装置の表示部に表示する。そして、利用者は、屋内無線装置の入力キー部から、電源電圧情報を入力することができる。
（Ｓ３０２）指定された電源電圧情報と、事前に設定されている設定可能範囲とを比較する。
（Ｓ３０３）指定された電源電圧情報が設定可能範囲内にない場合、例えば設定不可を示す「ＮＧ」を表示部に表示し、利用者に対して電源電圧情報の再入力を促す。
（Ｓ３０４）指定された電源電圧情報が設定可能範囲内にある場合、指定された電源電圧を電源電圧発生部から発生させる。
（Ｓ３０５）指定された電源電圧が正しく発生されたか否かを判定する。例えば、電源電圧発生部が出力する電力の電圧を測定することができる。
（Ｓ３０６）指定された電源電圧が正しく発生しない場合、例えば供給異常を示す「ＦＬＴ」を表示部に表示して、処理を終了する。
（Ｓ３０７）指定された電源電圧が正しく発生しない場合、例えば供給正常を示す「ＡＣＴ」を表示部に表示する。
（Ｓ３０８）指定された電源電圧を、電源電圧供給部から屋外無線装置へ供給する。
【００２８】
図４は、本発明の屋内無線装置におけるクロック設定のためのフローチャートである。
【００２９】
（Ｓ４０１）利用者が屋外無線装置に供給するクロック情報を指定できるように、その旨を屋内無線装置の表示部に表示する。そして、利用者は、屋内無線装置の入力キー部から、クロック情報を入力することができる。
（Ｓ４０２）指定されたクロック情報と、事前に設定されている設定可能範囲とを比較する。
（Ｓ４０３）指定されたクロック情報が設定可能範囲内にない場合、例えば設定不可を示す「ＮＧ」を表示部に表示し、利用者に対してクロック情報の再入力を促す。
（Ｓ４０４）指定されたクロック情報が設定可能範囲内にある場合、指定されたクロックをクロック周波数発生部から発生させる。
（Ｓ４０５）指定されたクロックが正しく発生されたか否かを判定する。例えば、クロック周波数発生部が出力するクロックを測定することができる。
（Ｓ４０６）指定されたクロックが正しく発生しない場合、例えば供給異常を示す「ＦＬＴ」を表示部に表示して、処理を終了する。
（Ｓ４０７）指定されたクロックが正しく発生された場合、例えば供給正常を示す「ＡＣＴ」を表示部に表示する。
（Ｓ４０８）指定されたクロックを、クロック供給部から屋外無線装置へ供給する。
【００３０】
以上、詳細に説明したように、本発明によれば、屋内無線装置が、屋外無線装置へ供給する電源電圧及びクロックを任意に指定することができる。従って、屋内無線装置を別の屋内無線装置に置き換えた場合でも、屋外無線装置を継続利用することでき、無線装置同士の経済性も向上する。
【図面の簡単な説明】
【００３１】
【図１】従来の無線装置システムの機能構成図である。
【図２】本発明の無線装置システムの機能構成図である。
【図３】本発明の屋内無線装置における電源電圧設定のためのフローチャートである。
【図４】本発明の屋内無線装置におけるクロック設定のためのフローチャートである。
【符号の説明】
【００３２】
１  屋外無線装置
１０  送信系部
１１  受信系部
１２  アンテナ
１００  送信系増幅変換部
１１０  受信系増幅変換部
１０１、１１１  電源受電部
１０２、１１２  クロック受信部
２  屋内無線装置
２００  送信系周波数変換部
２１０  受信系周波数変換部
２０１、２１１  電源供給部
２０２、２１２  クロック供給部
２０３、２１３  電源電圧制御部
２０４、２１４  電源電圧発生部
２０５、２１５  電源電圧供給部
２０６、２１６  クロック周波数制御部
２０７、２１７  クロック周波数発生部
２０８、２１８  クロック供給部
２２０  中央処理制御部
２２１  操作制御部
２２２  入力キー部
２２３  表示部
３  通信衛星
【図１】
2006157532.tif 000003
【図２】
2006157532.tif 000004
【図３】
2006157532.tif 000005
【図４】
2006157532.tif 000006